(57)【特許請求の範囲】
【請求項１】
玉払い出し装置の出口を、上皿へ向かう玉払い出し通路の入口から下通路ユニットへ向かう玉抜き通路の入口へと切り替え接続するためのパチンコ台の玉抜き機構であって、
前記玉払い出し装置の出口と、前記２つの入口との間にあって、スライド可能に配置された玉抜きユニットを有し、
前記玉抜きユニットには、第１のスライド位置にあるとき、前記玉払い出し装置の出口を前記上皿へ向かう玉払い出し通路の入口に連通させる第１のユニット内玉通路と、第２のスライド位置にあるとき、前記玉払い出し装置の出口を前記下通路ユニットへ向かう玉抜き通路の入口に連通させる第２のユニット内玉通路とが設けられ、さらに
前記玉抜きユニットがスライド動作して第２のスライド位置に位置したときにＯＮするスイッチと、
前記スイッチがＯＮすることにより駆動される玉払い出し装置とを有する、
ことを特徴とするパチンコ台における玉抜き機構。
【発明の詳細な説明】
【０００１】
【発明の属する技術分野】
この発明は、パチンコ台における玉抜き機構に係り、特に、賞球払出し機構と、下通路ユニットとの間にコンパクトに収容することができ、しかも、複数の払出し装置にも対応できるようにしたパチンコ台における玉抜き機構に関する。
【０００２】
【従来の技術】
通常、遊戯場におけるパチンコ台は、通路間に挾まれた島と称する壁状構造物の片面若しくは両面に並列に設置される。従来のパチンコ台は、図９に示されるように、遊戯場の島に取り付けられる外枠１と、この外枠１に対して開閉可能に取り付けられる内枠２との二層構造体として構成されており、内枠２は、その表面側にゲージ盤面３を備え、玉を貯溜する上皿４ａ、下皿４ｂ及び操作用ハンドル４ｃ等が取り付けられている。そして、外枠１に対する内枠２の取り付けは、外枠１のヒンジブラケット１ａに内枠２のヒンジブラケット２ａを一致させ、両者のピンと穴とを整合させることにより行なっており、キーユニット４ｄの操作によりロック片４ｅを上下動作し、外枠１に対して内枠２をロックするようにしている。
【０００３】
更に、従来のパチンコ台における内枠２の内面側には、玉の出入を管理する玉通路機構が設けられている。すなわち、図１０に示されるように、玉を貯溜する受け皿５が内枠２の最上部に設置されており、受け皿５で貯溜した玉は、整列通路６を経て賞球払出しユニット７内に供給され、ゲージ盤面３のチャッカーやアタッカー等に入賞した際に、この賞球払出しユニット７から玉抜きユニット８を通じて上皿４ａに所定個数の賞球が払い出され、また、玉抜きが必要なときは、玉抜きユニット８を通じて下流側の下通路ユニット９に排出される。
【０００４】
そして、賞球払出しユニット７と玉抜きユニット８との関係について、図１１，図１２を基に説明すると、図１１で示す賞球払出しユニット７からの賞球払出し状態から玉抜きを行なうには、フラッパー１０を手動で動作させることにより、スイッチ１１が作動し、図１２に示すように、賞球払出しユニット７を動作させて玉抜き通路１２から玉抜きを行なっていた。
【０００５】
【発明が解決しようとする課題】
このように、従来のパチンコ台における玉抜き機構においては、玉抜き機構部の設置箇所が賞球払出しユニット７と上皿４ａとの間に設置されるため、面積が大きくなり、内枠２の内面側に種々の機構部品を設置する際の造形自由度に大きな制約を与えるという問題点があった。
【０００６】
更に、従来のフラッパー１０による方式では、玉の流れを平面上に変更することしかできず、複数の払出し装置に対応させるには不適切であり、機能面での低下を余儀なくされていた。
【０００７】
この発明は、このような事情に鑑みてなされたもので、その目的とするところは、払出し用通路と玉抜き用通路とを玉抜きユニットを介して結び、該玉抜きユニットのスライドを介して通路の切替えを可能とすることで、コンパクト化を達成し、かつ複数の排出装置の設置を可能にしたパチンコ台における玉抜き機構を提供することにある。
【０００８】
【課題を解決するための手段】
上記目的を達成するために、本発明は、玉払い出し装置の出口を、上皿へ向かう玉払い出し通路の入口から下通路ユニットへ向かう玉抜き通路の入口へと切り替え接続するためのパチンコ台の玉抜き機構であって、前記玉払い出し装置の出口と、前記２つの入口との間にあって、スライド可能に配置された玉抜きユニットを有し、前記玉抜きユニットには、第１のスライド位置にあるとき、前記玉払い出し装置の出口を前記上皿へ向かう玉払い出し通路の入口に連通させる第１のユニット内玉通路と、第２のスライド位置にあるとき、前記玉払い出し装置の出口を前記下通路ユニットへ向かう玉抜き通路の入口に連通させる第２のユニット内玉通路とが設けられ、さらに前記玉抜きユニットがスライド動作して第２のスライド位置に位置したときにＯＮするスイッチと、前記スイッチがＯＮすることにより駆動される玉払い出し装置とを有することを特徴とする。
【０００９】
従って、本発明によれば、玉抜き機構として、賞球玉の払出し用内部通路と玉抜き用内部通路を有する玉抜きユニットを構成し、かつこの玉抜きユニットをスライド動作できるようにして一方向に動くとスイッチが入り、賞球排出動作の可動により玉抜きが行なわれるため、従来のフラッパー構造のものに比べ、構成が簡素化できる。
【００１０】
更に、複数の払出し用内部通路と複数の玉抜き用内部通路をユニット内に形成することにより、玉排出装置を賞球用とＣＲサンド用の如く複数個設置することが可能となり、通路を三次元状に設定できることから、排出位置の制約がなくなる。
【００１１】
【発明の実施の形態】
以下、本発明に係るパチンコ台における玉抜き機構の実施形態について、添付図面を参照しながら詳細に説明する。
【００１２】
図１は遊戯場の島に本発明に係るパチンコ台を複数台配置した状態を示す説明図、図２は本発明に係るパチンコ台の概略構成を示す分解斜視図、図３は図２に示すパチンコ台における中間枠を裏面側から見た斜視図、図４は本発明に係る玉抜きユニットの外観図、図５は本発明に係る玉抜きユニットを示す分解斜視図、図６，図７は本発明に係る玉抜きユニットのスライド切替え動作を示す概要図、図８は本発明に係る玉抜きユニットにおける玉の流れを示す説明図である。
【００１３】
本発明に係るパチンコ台３０は、例えば図１に示されるように、島の支持テーブル２０上に、ＣＲ機用カードユニット２１を挾んで並列に配置される。パチンコ台３０は、図２に示されるように、島に取り付けられる外枠３１と、この外枠３１に対してヒンジ機構を介して開閉可能に取り付けられる内枠３２とから構成されている。なお、本実施形態においては、内枠３２を、中間枠３３とこれに簡単に着脱可能な前枠３４とに分割した新規な構成が採用されているが、これに代えて、内枠３２を従前と同様に一体構造としても良い。
【００１４】
更に詳しくは、外枠３１は、パチンコ台３０全体を支持する強度を有する木枠で構成され、その一側縁部の上下にはヒンジブラケット３１１が設けられている。また、外枠３１の上縁部の内面側には玉供給機構に関係する支持金具３１２が取り付けられている。
【００１５】
中間枠３３は、金属鋼板を素材とした補強フレーム体で構成され、その一側縁部の上下には、外枠３１のヒンジブラケット３１１に対応して、ヒンジブラケット３３１がビス止め、あるいはスポット溶接等により固定されている。中間枠３３のヒンジ軸側の側縁部には、奥行方向に向けて玉通路機構４０が取り付けられている。一方、ヒンジ軸と反対側の側縁部には、キーユニット３３２と、キーユニット３３２の操作により外枠３１に対して中間枠３３をロックするロック片３３３と、玉を発射する発射ソレノイド等の発射装置３３４とが取り付けられている。
【００１６】
前枠３４の表面には、図１に示されるように、ゲージ盤面３４１と、玉を貯溜する上皿３４２と、下皿３４３と、発射装置３３４を操作する操作用ハンドル３４４とが設けられている。また、前枠３４の裏面側には、ゲージ盤面３４１の中央部に位置するディスプレイ装置のカバー３４５が取り付けられている。更に、このディスプレイ装置を制御する基板３４６もゲージカバーに装着される。この前枠３４は、図２に示されるレバー３４７の回動操作により、中間枠３３に対して着脱可能に装着される。
【００１７】
次に、図３を参照しながら、中間枠３３に取り付けられる玉通路機構４０の構成について簡単に説明する。中間枠３３のヒンジ側の側縁部には、上下方向に沿って、かつ奥行方向へ向けてベースプレート４１が取り付けられており、このベースプレート４１の内面側には、上下方向に沿って玉通路機構４０が設置されている。この玉通路機構４０は、通路切替えユニット４２、その下部に設置される上通路ユニット４３、上通路ユニット４３の下部に並列に設置される賞球払出しユニット４４、ＣＲ機用貸出しユニット４５、それらの下部に設置される玉抜きユニット４６、玉抜きユニット４６を通じて玉抜きを行なう下通路ユニット４７、及びセーフ玉ユニット４８、アウト玉ユニット４９の各種ユニットから構成されている。
【００１８】
尚、玉通路機構４０への玉の供給については、外枠３１側の支持金具３１２に設置されているスライダー３１３に、スライドノズル３１４並びに連結ノズル３１５が保持されていて、島の供給管からスライドノズル３１４に供給された玉は、連結ノズル３１５からジャバラ３１６を通じて内枠３２（中間枠３３）側の連結ノズル３１７に供給され、通路切替えユニット４２から順次玉通路機構４０の各ユニットに送られる。
【００１９】
次に、図４乃至図８を参照しながら本発明の要部である玉抜き機構について説明する。本発明に係る玉抜き機構に使用される玉抜きユニット４６は、図５に示されるように、３個の部品４６ａ，４６ｂ，４６ｃを一体に組み付けて構成されている。この玉抜きユニット４６内には、入口Ａから出口ａへ連通するＣＲ機用貸出しユニット４５からの玉抜き用通路４６１、入口Ｂから出口ｂへ連通する上皿３４２への払出し用通路４６２、入口Ｃから出口ｃへ連通する賞球払出しユニット４４からの玉抜き用通路４６３、入口Ｄから出口ｄへ連通する上皿３４２への払出し用通路４６４の合計４つのユニット内通路が三次元的に交差するようにして形成されている。
【００２０】
更に、ベースプレート４１に図示はしないがガイド孔が形成されており、玉抜きユニット４６をベースプレート４１に取り付ける際、このガイド孔内に玉抜きユニット４６のベースプレート４１対向面の左右側に形成したガイド片４６５がスライド自在に差し込まれることにより、玉抜きユニット４６は、図４中矢印で示す方向にスライド可能になされる。
【００２１】
従って、図６に概念的に示される第１のスライド位置から図７に概念的に示される第２のスライド位置へと玉抜きユニット４６をスライド操作させれば、スイッチ４６６がＯＮして賞球払出しユニット４４が駆動されると共に、図８に示されるように、賞球払出ユニット４４の出口は、払出し用ユニット内通路４６４の入口Ｄから玉抜き用ユニット内通路４６３の入口Ｃへと切り替え接続され、賞球払出しユニット４４から玉抜き用ユニット内通路４６３を経由して下通路ユニット４７への玉抜きが行なわれる。
【００２２】
玉抜きユニット４６内に形成されている４つのユニット内通路４６１〜４６４を通じて行われる玉の貸出し並びに玉抜きの態様について、図８を参照して更に詳しく説明する。
【００２３】
ＣＲ機用貸出しユニット４５の玉抜きを行なうには、玉抜き用通路４６１を通じて入口Ａから出口ａに玉が流れ、下通路ユニット４７に玉が送られて玉抜きが行なわれる。同様に賞球払出しユニット４４からの玉抜きは、玉抜き用通路４６３を通じて入口Ｃから出口ｃに玉が流れ、下通路ユニット４７に玉が送られて玉抜きが行なわれる。
【００２４】
また、ＣＲ機用貸出しユニット４５から玉を払い出す際には、入口Ｂから出口ｂに至る払出し用通路４６２を経て上皿３４２へ玉が供給され、同様に賞球払出しユニット４４から玉を払い出すには、入口Ｄから出口ｄに至る払出し用通路４６４を通じて上皿３４２へ玉が払い出される。
【００２５】
このように、本発明に係る玉抜きユニット４６を使用すれば、払出し用通路４６２，４６４と玉抜き用通路４６１，４６３を内蔵するため、省スペースでの払出し並びに玉抜きの切り替えが可能となり、従来のフラッパータイプの玉抜きユニットに比べ、省スペースで済むため、内枠３２に搭載するディスプレイ装置を大型化したり、その制御装置を適宜位置に自由に設置できるなど、ゲージ構成における造形自由度を高めることができる。
【００２６】
更に、本発明に係る玉抜きユニット４６は、払出し用通路と玉抜き用通路を三次元的に実現するため、賞球払出しユニット５４とＣＲ機用貸出しユニット５５の双方のユニットに対応できるとともに、排出位置の制約がなく、玉の振り分けを円滑に行なうことができる。
【００２７】
【発明の効果】
以上説明した通り、本発明に係るパチンコ台の玉抜き機構は、内部に払出し用通路と玉抜き用通路とが形成された玉抜きユニットを横方向にスライド動作可能とする一方、これを一方向にスライド動作させるとスイッチが入って賞球排出装置が動作して玉抜きが行われるというものであるから、従来のフラッパー方式の玉抜きユニットに比べ、大幅にコンパクト化でき、スペース性能に優れ、玉通路機構の各種ユニットの設定自由度や内枠裏面に設置されるディスプレイカバーやディスプレイの制御装置等の設置自由度を向上させることができるという効果を有する。
【００２８】
更に、玉を平面的に振り分けるのではなく玉抜きユニット内に複数の払出し用通路、玉抜き用通路を３次元的に交差させて配置することができるため、賞球払出しユニットに加えてＣＲ機用貸出しユニット等、複数の払出しユニットからの玉抜き動作も可能となり、複数の賞球排出装置を搭載できるため、機能性に優れたパチンコ台を提供できるという効果を有する。
【図面の簡単な説明】
【図１】本発明に係るパチンコ台の配置構成を示す説明図。
【図２】本発明に係るパチンコ台の構成を示す分解斜視図。
【図３】図２に示すパチンコ台における中間枠の構成を示す裏面側から見た斜視図。
【図４】本発明に係る玉抜きユニットの一実施形態を示す外観図。
【図５】本発明に係る玉抜きユニットの一実施形態を示す分解斜視図。
【図６】本発明に係る玉抜きユニットにおける賞球排出時の状態を示す説明図。
【図７】本発明に係る玉抜きユニットにおける玉抜き時の状態を示す説明図。
【図８】本発明に係る玉抜きユニットの各通路における玉の流れを示す説明図。
【図９】従来のパチンコ台の構成を示す概略図。
【図１０】従来のパチンコ台における内枠を裏面側から見た正面図。
【図１１】従来の玉抜き機構における賞球排出時の状態を示す説明図。
【図１２】従来の玉抜き機構における玉抜き時の状態を示す説明図。
【符号の説明】
２０  支持テーブル
２１  ＣＲ機用カードユニット
３０  パチンコ台
３１  外枠
３２  内枠
３３  中間枠
３４  前枠
４０  玉通路機構
４２  通路切替えユニット
４３  上通路ユニット
４４  賞球払出しユニット
４５  ＣＲ機用貸出しユニット
４６  玉抜きユニット
４６１，４６３  玉抜き用通路
４６２，４６４  払出し用通路
４６５  ガイド片
４６６  スイッチ
４７  下通路ユニット
【図１】
0003991176.tif 000002
【図２】
0003991176.tif 000003
【図３】
0003991176.tif 000004
【図４】
0003991176.tif 000005
【図５】
0003991176.tif 000006
【図６】
0003991176.tif 000007
【図７】
0003991176.tif 000008
【図８】
0003991176.tif 000009
【図９】
0003991176.tif 000010
【図１０】
0003991176.tif 000011
【図１１】
0003991176.tif 000012
【図１２】
0003991176.tif 000013